(57)【特許請求の範囲】
【請求項１】
ステータと、前記ステータに形成されたロータ孔に収容可能なロータと、前記ステータに形成されたコイル孔に収容可能な磁気コイルとを有するステップモータと、
前記ロータの回転が伝達されて回転する、指針が先端に組み付け可能な回転軸と、
を備える計器ユニットであって、
前記ロータ孔と前記コイル孔は連通しており、前記コイル孔には、前記ロータ孔よりも外形の小さい磁気コイルが複数、前記ロータ孔に向かう方向に並んだ状態で組み付けられている、
ことを特徴とする計器ユニット。
【請求項２】
前記ステータには、前記コイル孔の内部に位置し、且つ、前記ロータ孔に向って突設された極歯が形成され、
前記磁気コイルは、前記ロータ孔側から前記極歯に貫通された状態で前記コイル孔に収容可能である、
ことを特徴とする請求項１に記載の計器ユニット。
【請求項３】
前記ロータ孔の内径βは、前記磁気コイルのボビンの軸方向の長さαに対して、次式、
２α＞β＞α
の関係を満たすとともに、
前記極歯の長さγは、前記磁気コイルのボビンの軸方向の長さαに対して、次式、
γ＞２α
の関係を満たすように構成されている、
ことを特徴とする請求項２に記載の計器ユニット。
【発明の詳細な説明】
【技術分野】
【０００１】
本発明は、自動車用計器や船舶用計器、航空機用計器など各種用途のメータ装置に係り、特に指針を取り付けた回転軸を回動駆動させるためにメータ装置内部に配置される計器ユニットに関するものである。
【背景技術】
【０００２】
従来、このような指針式の計器類に用いるモータを備えたメータ装置が各種提案され開発されている（例えば、特許文献１参照）。
即ち、このメータ装置１００は、図１０及び図１１に示すように、上下ケース１０１Ａ、１０１Ｂの内部において、筒状ボビン１０２にコイル１０３を巻回したコイルアッシー１０４Ａ〜１０４Ｄを回転軸１０５の周方向に間隔をおいて複数配置すると共に、回転軸１０５の軸線上に回転中心を有し周方向においてＮ極及びＳ極に分極着磁された円盤状のマグネットロータ１０６を各筒状ボビン１０２の上方に配置した構成の、モータを備えたものである。
【０００３】
また、このメータ装置１００では、コイル１０３への通電に伴い、各コイルアッシー１０４Ａ〜１０４Ｄには貫通孔１０２Ａの内部を通過するように発生する磁路での磁力を増強させるため、各筒状ボビン１０２の下方にヨーク１０７を配置し、マグネットロータ１０６と各筒状ボビン１０２との間に磁極片１０８Ａ〜１０８Ｄを配置した構成となっている。
【０００４】
即ち、このような構成のメータ装置にあっては、マグネットロータ１０６と各筒状ボビン１０２との間にそれぞれ配置される磁極片１０８Ａ〜１０８Ｄが、コイル１０３への通電によって、各コイルアッシー１０４Ａ〜１０４Ｄに発生する磁路の磁力を増強させることができる。
【先行技術文献】
【特許文献】
【０００５】
【特許文献１】特開２０００−１５５１３５号公報
【発明の概要】
【発明が解決しようとする課題】
【０００６】
ところで、このようなモータ装置にあっては、計器ユニットの省スペース化及び高トルク化をさらに図ることによって、指針デザインの自由度を向上させることが可能なメータ装置の開発要求が高まっている。
【０００７】
本発明は、上述した事情に鑑みてなされたものであり、その目的は、小型化及び高トルク化をさらに図ることができる計器ユニットを提供することにある。
【課題を解決するための手段】
【０００８】
前述した目的を達成するために、本発明に係る計器ユニットは、下記（１）〜（３）を特徴としている。
（１）  ステータと、前記ステータに形成されたロータ孔に収容可能なロータと、前記ステータに形成されたコイル孔に収容可能な磁気コイルとを有するステップモータと、
前記ロータの回転が伝達されて回転する、指針が先端に組み付け可能な回転軸と、
を備える計器ユニットであって、
前記ロータ孔と前記コイル孔は連通しており、前記コイル孔には、前記ロータ孔よりも外形の小さい磁気コイルが複数、前記ロータ孔に向かう方向に並んだ状態で組み付けられている、
ことを特徴とする計器ユニット。
（２）  （１）の構成の計器ユニットにおいて、
前記ステータには、前記コイル孔の内部に位置し、且つ、前記ロータ孔に向って突設された極歯が形成され、
前記磁気コイルは、前記ロータ孔側から前記極歯に貫通された状態で前記コイル孔に収容可能である、
こと。
（３）  （２）の構成の計器ユニットにおいて、
前記ロータ孔の内径βは、前記磁気コイルのボビンの軸方向の長さαに対して、次式、
２α＞β＞α
の関係を満たすとともに、
前記極歯の長さγは、前記磁気コイルのボビンの軸方向の長さαに対して、次式、
γ＞２α
の関係を満たすように構成されている、
こと。
【０００９】
上記（１）〜（３）の構成の計器ユニットによれば、計器ユニットの小型化とともに高トルク化を図ることができるので、指針デザインの自由度を向上させることができる。
また、１個分の磁気コイルが入り込めるだけの大きさしかないロータ孔を備えたステータであっても、コイル孔に２つ以上の磁気コイルを収容することができるため、従来、コイル孔に収容される磁気コイルと略同形のロータ孔が必要だったステータと比較すると、ロータ孔を小さくできる分だけステータの小型化を図ることができる。
【発明の効果】
【００１０】
本発明によれば、１個分の磁気コイルが入り込めるだけの大きさしかないロータ孔を備えたステータであっても、コイル孔に２つ以上の磁気コイルを収容することができる。これにより、ロータ孔を小さくできる分だけステータの小型化を図ることができる。この結果、計器ユニットの小型化とともに高トルク化を図ることができるので、指針デザインの自由度を向上させることができる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】本発明の第１の実施形態に係る計器ユニットを示す分解斜視図である。
【図２】その計器ユニットに用いる磁気コイルの組み立て方法を示す説明図である。
【図３】その計器ユニットの磁気コイルと駆動回路との結線状態を示す配線図である。
【図４】第１の実施形態の作用を説明するための比較例の計器ユニットを示すものであり、（Ａ）は上面図、（Ｂ）はその計器ユニットのステータに組付ける磁気コイルとロータ孔の大きさの関係を示す説明図である。
【図５】その比較例の計器ユニットでの磁気コイルの組付け方法を示す説明図である。
【図６】長尺な磁気コイルを設けた一般的な計器ユニットを駆動するときの状態を示す説明図である。
【図７】本発明の第１の実施形態に係る計器ユニットをユニポーラ駆動させるときの結線図である。
【図８】本発明の第１の実施形態に係る計器ユニットをバイポーラ駆動させるときの結線図である。
【図９】（Ａ）は本発明の第２の実施形態に係る計器ユニットを示す縦断面図、（Ｂ）はその横断面図である。
【図１０】従来のメータ装置を示す分解斜視図である。
【図１１】そのメータ装置の縦断面図である。
【発明を実施するための形態】
【００１３】
以下、本発明の好適な実施例について添付図面を参照しながら詳細に説明する。
【００１４】
［第１の実施形態］
図１及び図２は、本発明の第１の実施形態に係る計器ユニット１Ａを示す分解斜視図、及びこの計器ユニット１Ａに用いる磁気コイルの組み立て方法を示す説明図である。
計器ユニット１Ａは、ステップモータ５、減速ギア列、及び回転軸８などのムーブメント部品がモータケース４に収容されたものである。計器ユニット１Ａが装着されるメータ装置は、図１に示す基板２上に実装された光源３と、この光源３が搭載された領域を含む基板２上の所定場所に取付けられた計器ユニット１Ａと、この計器ユニット１Ａの上部に設置された、数字、文字、記号など、車自体或いは車周辺の環境などに関する必要情報を表示する図示外の表示板と、を有する。
【００１５】
光源３は、所定波長（λ）の可視光を出射する例えばＬＥＤ（Light Emitting Diode；発光ダイオード）で構成されている。本実施形態の光源３であるＬＥＤは、光軸が基板２の上面に対して垂直なＺ方向に設定されており、このＬＥＤからの光（以下、「照明光」とよぶ）が直上の回転軸８の基端（以下、「下端８Ａ」とよぶ）の端面に向けて出射される。なお、この回転軸８の下端８Ａ側の端面から入射した照明光は、モータケース４の上部から突出した回転軸８の先端（以下、「上端８Ｂ」とよぶ）まで導光され、この上端８Ｂ部分に圧入された指針９が発光照明される。
【００１６】
モータケース４は、基板２に固定された下ケース４Ａと、この下ケース４Ａに積層するように上から嵌合された上ケース４Ｂとで構成されている。このモータケース４の内部には、ステップモータ５と、中間ギア６と、出力ギア７と、この出力ギア７と一体の回転軸（但し、上端側は除く）８と、を収容している。なお、回転軸８の上端８Ｂ側の部分は、モータケース４の外部に突出しており、この上端８Ｂ側の部分に指針９が圧入された状態で嵌合されている。
【００１７】
また、下ケース４Ａの内部には、下面から上方（上ケース４Ｂ方向）に向けて円筒状に突出する、別言すれば床面側から上ケース４Ｂの天井面に向けて突出する軸受け４１が形成されている。
【００１８】
一方、上ケース４Ｂには、下ケース４Ａに設けた軸受け４１に対応して、その直上部分である天井面を貫通して軸孔４３を穿設している。この軸孔４３には、回転軸８の上部側が回転可能な状態で貫通している。
【００１９】
ステップモータ５は、指針９を回動させるためのものであり、本実施形態ではＰＭ（Permanent Magnet；永久磁石）モータで構成している。特に、本実施形態のステップモータ５は、図１に示すように、ステータ５Ａと、このステータ５Ａの中央部に開口された孔(以下、「ロータ孔５Ｄ」とよぶ)に配設するロータ５Ｂと、を備えている。
本実施形態のステップモータ５は、減速ギア列、即ち中間ギア６及び出力ギア７（特にこれらのギア列ではなく、単一のギアで減速させる構成などでもよい）を介して回転力が伝達される回転軸８に対して、減速させながら回動させる。このようにして回転軸８を回動させることにより、これと一体の指針９を表示板の表面に沿って回動させ、必要な各種情報を指し示すようになっている。
【００２０】
なお、本実施形態の減速ギア列を構成するロータ５Ｂと一体に組付けたロータギア５１、中間ギア６及び出力ギア７については、これらの各ギアが、回転面（Ｘ−Ｙ）方向については隣のギアと互い違いに入り込むような空間的に一部積層した状態で、かつ、厚さ（Ｚ）方向については隣のギアと僅かな隙間を隔てて積層配置された状態で並設されている。
【００２１】
本実施形態のステータ５Ａは、図２に示すように、導体が積層されて磁路が形成される外周部分が、左右対称な略Ｖ字形を呈している。また、このステータ５Ａは、中央部に前述のロータ孔５Ｄが形成された円弧状の部分(以下、「環状ヨーク５Ｃ」とよぶ)と、環状ヨーク５Ｃから外方に向けて２方向に大きく延出し、それぞれ内側にコイルを装着させるコイル孔５Ｆが細長形状に開口された略矩形状の部分(以下、「矩形ヨーク５Ｅ」とよぶ)とを備えている。ロータ孔５Ｄとコイル孔５Ｆとは連通しており、一つの孔を形成している。
【００２２】
ロータ孔５Ｄには、ロータ軸５２（図３参照）に固設した状態で取付けられたロータ５Ｂが配設される。なお、このロータ孔５Ｄを取り囲む環状ヨーク５Ｃは、略真円形状の円周のほぼ半分を構成する円弧形状に形成されており、この環状ヨーク５Ｃ内周部分にはロータ孔５Ｄの中心に向けて小さな円弧状の歯５Ｊが等角的に５か所突設されている。
【００２３】
また、このロータ孔５Ｄは、この内径βの大きさの方が後述の１個分のコイル（以下、「磁気コイル５Ｉ」とよぶ）のボビン５Ｈの軸方向の長さαよりも若干大きめの大きさに形成されている。一方、このロータ孔５Ｄからコイル孔５Ｆに向って移動させて該コイル孔５Ｆに収容させる磁気コイル５Ｉについては、特にこの巻線を巻装させるボビン５Ｈについては、ロータ孔５Ｄの内径に挿入可能な範囲で、できるだけ長めα（但し、β＞α）のものが使用されている。同時に、またこのボビン５Ｈは、これを２個連設させた軸方向の長さが、後述する極歯５Ｇに収まるような大きさに形成されている。
【００２４】
他方、このような構成のボビン５Ｈが組付けられる極歯５Ｇでは、詳細は後述するが、磁気コイル５Ｉを１個ずつ個別にロータ孔５Ｄからコイル孔５Ｆに向けて移動させ、該コイル孔５Ｆに収容させつつこの極歯５Ｇに差し込んでいくことで、複数の磁気コイル５Ｉをロータ孔５Ｄに向う方向に並んだ状態で連結させて組付けることができるようになっている。
【００２５】
各コイル孔５Ｆには、それぞれ、ロータ孔５Ｄの中心部に向けて長く突出するように細長（長尺）形状の極歯５Ｇが設けられており、この極歯５Ｇが磁心となって磁極が形成される。即ち、この磁心である極歯５Ｇは、長手方向の長さγが、上述したようにコイルの巻線方向の長さ、つまりボビン５Ｈの長さαに対して凡そ２倍程度の長さ（γ≒２α。ただし、γ＞２α）に形成されている。従って、これらの極歯５Ｇには、ボビン５Ｈに銅線が巻装されて形成された磁気コイル５Ｉが２つ、直列状態に連なって装着されるようになっている。このように磁気コイル５Ｉを連結させてコイルの巻き数を増やした分だけ大きな磁界を形成できるのと同時に、大きな回転数での回転駆動が可能になっている。尚、ここでは２つの磁気コイル５Ｉを連結させる構成について説明するが、２個に限られない。ｎ個連結させる場合には、極歯５Ｇの長手方向の長さγがγ≒ｎα（ただし、γ＞ｎα）となればよい。
【００２６】
連結された磁気コイル５Ｉは、図３に示すように、適宜の配線を介し駆動回路１０とそれぞれ接続されており、本実施形態では、個々の磁気コイル５Ｉを別々に制御することでロータ５Ｂのスムースな回転を実現させている。
【００２７】
ロータ５Ｂは、図３に示すように、適宜の材料で略円筒形状に形成されたロータ軸５２と一体に形成されているとともに、ステータ５Ａの開口されたロータ孔５Ｄに回転自在に設置されている。即ち、このロータ５Ｂは、下ケース４Ａの軸受け４２に下端部が回転自在に軸支された上述のロータ軸５２を介して、ロータ孔５Ｄ内で回転するようになっている。また、このロータ５Ｂには、内部に図示外の磁極片が互いに隣接する磁極を異ならせるように複数個、等角的に配設されている。さらに、このロータ５Ｂの上部には、歯数の少ない小径の（上述した）ロータギア５１がロータ軸５２を中心とする同芯状に形成されている。
【００２８】
中間ギア６は、図示外の回転軸に固着されている。また、中間ギア６の回転軸は、下ケース４Ａに設けた軸受けと上ケース４Ｂに設けた軸受けとの間に回転自在に軸支されている。この中間ギア６は、外周に設けた歯数の多い大歯６１が、ロータ５Ｂの上部に形成された歯数の少ない小歯のロータギア５１に噛合しており、ロータ５Ｂからの回転速度が減速された状態で回転する。また、この中間ギア６の上面には、歯数の少ない小径のピニオン６２が回転軸を中心とする同心状に形成にされている。
【００２９】
出力ギア７は、中間ギア６のピニオン６２からの回転力を回転軸８に伝達させるため、回転軸８の中間部付近においてこの回転軸８と一体に設けられている。
【００３０】
また、この出力ギア７は、外周に設けた歯数の多い大歯が、中間ギア６の上部に設けたピニオン６２に噛合しており、中間ギア６の回転速度がさらに減速されて出力ギア７へ伝達され回転する。このため、この出力ギア７と一体の回転軸８は、大幅に減速されて出力ギア７と同一の角速度で一体に回動するので、高い精度で指針９を回動させることができる。
【００３１】
本実施形態の回転軸８は、指針９の回転動作を行わせるための手段であるのと同時に、光源３からの照明光を指針９へ導光させるための導光手段を兼ねている。そのため、本実施形態の回転軸８は、導光性に優れた適宜の透光性の樹脂材料で出力ギア７と一体に成形されている。
【００３２】
また、回転軸８は、上述したように、上端部側が上ケース４Ｂの軸孔４３からモータケース４の外部に突出しており、図示外の表示板の表面まで突出する上端の部分に指針９が圧入されて組付けられている。前述したように、回転軸８は、この上部側の軸受けとして機能する上ケース４Ｂ側の軸孔４３に軸支されており、また下部側が下ケース４Ａに設けた軸受け４１に回転自在に軸支されている。
【００３３】
また回転軸８は、前述したように、下端部側の端面８Ａが光源３の直上に設置されて正対している。従って、光源３からの照明光がこの端面８Ａに入射すると、回転軸８が回転中でもその照明光の大部分が回転軸８内部の外周面との界面部分で反射（例えば、全反射或いは正反射等）を繰り返しながら導光され、回転軸８の上端８Ｂ側の端面へ向けて伝搬していく。
【００３４】
次に、本実施形態の作用について、図２に示す本実施形態の磁気コイル５Ｉ及びステータ５Ａと、図４、および図５に示す比較例のステップモータ５´での磁気コイル５Ｉ´及びステータ５Ａ´、および、図６に示す比較例のステップモータ５´´での磁気コイル５Ｉ´´及びステータ５Ａ´´とを対比させながら説明する。
ステップモータの高トルク化を図ろうとする場合には、磁力の増大を図ることが有効な手段である。ここで、コイルから発生する磁力の大きさＦについては、例えば図６に示す一つのコイル孔５Ｆ´´に一つの磁気コイル５Ｉ´´が収容されたステップモータ５´´において、その磁気コイル５Ｉ´´が発生する磁力の大きさＦは、次式、
Ｆ＝Ｉ×Ｎ                          ・・・（１）
但し、Ｉ；コイルを流れる電流
Ｎ；コイルの巻線の数
で決定されることが知られている。
【００３５】
従って、上述の（１）式によれば、コイルから発生させる磁力の大きさＦを大きくしようとすると、太い銅線を用いることで通電させる電流値Ｉを増大させるか、若しくは巻線の数Ｎを増大させる必要がある。ところが、磁気コイル５Ｉ´´の通電制御を行う駆動回路１０´´の電流値Ｉには上限がある。そこで、コイルの巻線の数を増大させることが、磁力の増大を図る上で有効な手段であり、これによって高トルク化も可能となるため、巻線数の多い磁気コイルの設置が検討されている。しかしながら、コイルの巻線の数を増加させると、磁気コイル５Ｉ´´が大型化してしまう。磁気コイル５Ｉ´´が大型化してしまうと、その磁気コイル５Ｉ´´と略同形のロータ孔が必要となるステータ５Ａ´´もまた大型化してしまう。その結果、計器ユニットの小型化が図りにくい。
【００３６】
このような事情から、本願発明のステップモータでは、例えば図２に示すようなステータ５Ａが用いられている。即ち、本実施形態に係るステップモータ５のステータ５Ａでは、ロータ孔５Ｄの大きさβが各磁気コイル５Ｉの軸方向の長さαよりも僅かに大きい（β＞α）。図２に示すように、ロータ孔５Ｄに各磁気コイル５Ｉを１個ずつ別々に複数個差し込んでいくとともに、極歯５Ｇに挿通させながらコイル孔５Ｆ奥部に向けて各ボビン５Ｈを順次スライドさせていくことにより、ボビン５Ｈを極歯５Ｇに順次挿入させていく。
【００３７】
これにより、図３に示すように、矩形ヨーク５Ｅのコイル孔５Ｆに位置し、且つロータ孔５Ｄに向って細長く突設した各極歯５Ｇに、２つ磁気コイル５Ｉがロータ孔５Ｄ側から貫通され、ロータ孔５Ｄに向う方向に並んだ状態で連結されて組付けることができるので、ロータ５Ｂに向けて大きな磁界、つまり高い磁束密度を実現させることができる。さらに、磁気コイルを分割してコイル孔に収容する構成であるため、ロータ孔の大きさはその分割された磁気コイル一個分の大きさで済むため、ステータの小型化を図ることができる。その結果、計器ユニットを小型化しつつ、高トルク化も実現できるわけである。
【００３８】
一方、上述のような磁気コイル５Ｉの代りに、図４に示すように、上述の２つの磁気コイル５Ｉでの巻線を合算させた巻数とほぼ同数の巻数を有する巻線を一つのボビン５Ｈ´に巻装させた、別言すれば長尺形状の磁気コイル５Ｉ´を備えた、比較例のステップモータ５´について、考える。具体的には、同図（Ｂ）に示す下ケース４Ａ´に収容したステータ５Ａ´において、本実施形態の極歯５Ｇ（図２参照）と同等の長さを有する細長い極歯５Ｇ´に対応して長尺に形成された、長さα´（但し、α´≒２α）を有する単一のボビン５Ｈ´、つまり磁気コイル５Ｉ´を組付ける場合を考えてみる。
【００３９】
この場合には、当然、ロータ孔５Ｄ´の内径の大きさβ´も、上記した本実施形態のロータ孔５Ｄの内径の大きさβ（但し、β´≒２β）に比べて略２倍程度の大きなものを必要とする。その結果、環状ヨーク５Ｃ´の部分も本実施形態の環状ヨーク５Ｃのほぼ２倍程度の大きさとなってしまう。このため、比較例のものでは、ステータ５Ａ´および下ケース４Ａ´も必然的に大型化を招き、計器ユニットの大型化が避けられない。
【００４０】
このように、比較例に示すステップモータでは、ステータの大型化、延いては計器ユニットの大型化につながってしまう。しかも、図４及び図５の比較例に示すような磁気コイル５Ｉ´を用いてその巻線の数Ｎを増やすと、磁気コイル５Ｉ´のインダクタンスが大きくなる。このため、同図において、例えば高い周波数の駆動信号（駆動周波数）を駆動回路から各磁気コイル５Ｉ´へ流して高速回転を行わせようとすると、その駆動信号にロータ５Ｂが追従できずに、ステップモータ５´´が回転できなくなってしまう虞がある。
【００４１】
以上説明してきたように、本実施形態の計器ユニットによれば、ロータ孔５Ｄの内径の大きさβに対応し、この内径よりも小さい短尺なボビン５Ｈに巻線した磁気コイル５Ｉを使用している。この磁気コイル５Ｉは、図４及び図５に示す比較例の長尺なボビン５Ｈ´に比べて巻数の少ない、およそ半分の巻線数からなる磁気コイルである。しかも、図３に示すように２つの磁気コイル５Ｉが連結されて構成されている。
【００４２】
この構成により、計器ユニットを小型化しつつ、高トルク化も実現できる。しかも、インダクタンスが上昇せずに済むので、高い周波数の駆動信号にも追従させることができ、その分ステップモータを高速回転させることもできる。
【００４３】
なお、本実施形態では、ステップモータ５の磁気コイル５Ｉを図３に示すような結線状態で駆動回路１０と接続させてあるが、特にこれに限定されるものではない。即ち、図７に示すように、駆動回路１０をユニポーラ化させることで、駆動回路の簡素化が可能となる。
【００４４】
一方、例えば図８に示すように、駆動回路１０をバイポーラ化させてもよい。一般的には、高速トルクが大きいユニポーラ駆動とは異なり、バイポーラ駆動の方は低速トルクが大きくなる傾向にあるため、例えば重量指針９であるものを回転駆動させるような場合には、好ましいものである。
【００４５】
［第２の実施形態］
次に、本発明の第２の実施形態に係る計器ユニット１Ｂについて、図９を参照しながら説明する。なお、本実施形態において、第１の実施形態と同一部分は同一符号を付して重複説明を避ける。
【００４６】
同図に示す本実施形態の計器ユニット１Ｂが第１の実施形態の計器ユニット１Ａと異なるのは、ステータ５０Ａが、連結された２個の磁気コイル５０Ｉを４個所に設置可能な形状（左右対称な八角形状）である点と、ステップモータ５０による回転軸８の駆動方式がギア（ギア列）を介しない方式（ロータ軸が回転軸を兼ねる）である点である。
【００４７】
本実施形態のステータ５０Ａには、八角形状のヨークを構成する環状ヨーク部５０Ｃと、この環状ヨーク部５０Ｃの中央部に開口したロータ孔５０Ｄとが形成されている。また、環状ヨーク部５０Ｃの４個所からは、環ロータ孔５０Ｄの中心方向に向けて大きく突出した細長長尺形状の極歯５０Ｇが設けられており、それぞれ、２個の磁気コイル５０Ｉが極歯５０Ｇに貫通された状態で装着させることができるようになっている。
【００４８】
従って、本実施形態によれば、第１の実施形態の場合と同様に、このロータ孔５０Ｄは、この内径の大きさが磁気コイル５０Ｉの１個分の長さαよりも若干大きめの大きさに形成されており、換言すれば、ロータ孔５０Ｄの内径に収容可能な範囲で、できるだけ長めのボビン５０Ｈを使用させている。これによって、磁気コイル５０Ｉを順次個別にロータ孔５０Ｄから差し込んで、極歯５０Ｇに複数個の磁気コイル５０Ｉを連結した状態で装着させることができるようになっている。
【００４９】
なお、本発明は上述した実施形態に何ら限定されるものではなく、その要旨を逸脱しない範囲において種々の形態で実施し得るものである。また、本発明の計器ユニットとしては、例えば、燃料計部、タコメータ部、スピードメータ部、及び水温計等の各種計器類への適用が可能である。
【符号の説明】
【００５０】
１Ａ、１Ｂ  計器ユニット
２  基板
３  光源
４  モータケース
４Ａ  下ケース
４Ｂ  上ケース
５  ステップモータ
５Ａ  ステータ
５Ｂ  ロータ
５Ｃ  環状ヨーク
５Ｄ  ロータ孔
５Ｅ  矩形ヨーク
５Ｆ  コイル孔
５Ｇ  極歯
５Ｈ  ボビン
５Ｉ  磁気コイル
５１  ロータギア
５２  ロータ軸
６  中間ギア
７  出力ギア
８  回転軸
９  指針
１０  駆動回路
α  磁気コイルの１個分長さ
β  ロータ孔の内径
γ  極歯の長さ
【図１】
0005437892.tif 000002
【図２】
0005437892.tif 000003
【図３】
0005437892.tif 000004
【図４】
0005437892.tif 000005
【図５】
0005437892.tif 000006
【図６】
0005437892.tif 000007
【図７】
0005437892.tif 000008
【図８】
0005437892.tif 000009
【図９】
0005437892.tif 000010
【図１０】
0005437892.tif 000011
【図１１】
0005437892.tif 000012